(57)【要約】【課題】築後長い年月が経過した折板屋根であっても、その上に安定的に平板材を固定して屋根面をフラット化することのできる折板屋根のフラット化工法、およびフラット化した折板屋根の上に物品を固定する工法を提供する。【解決手段】折板屋根Ｒの山形部３に第１の支持具（スタッドボルト）１０を固定する。また、複数個の山形部３を覆うようにして平板材４０を敷設する。敷設した平板材４０の上に長尺状の押さえ板２０を置き、前記第１の支持具１０を利用して平板材４０の上から押さえ板２０を折板屋根Ｒ側に固定する。押さえ板２０に補助治具３０を固定し、該補助治具３０に第３の支持具（スタッドボルト）３２を固定する。該第３の支持具（スタッドボルト）３２を利用して、平板材４０の上に適宜の物品５０を固定する。【選択図】図１１
2008231884.tif 000002
【特許請求の範囲】
【請求項１】
屋根勾配方向であるＸ方向に走る複数個の山形部が軒先方向であるＹ方向に所定ピッチで連続している折板屋根面を平板材を用いてフラット化する工法であって、
前記山形部の前記Ｘ方向における少なくとも２箇所に、またはＹ方向における少なくとも２箇所に第１の支持具を固定立設する工程、
前記複数個の山形部を覆うようにして平板材を敷設する工程、
前記敷設した平板材の上であって前記少なくとも２箇所に第１の支持具を固定立設した方向に長尺状の押さえ板を置く工程、
前記長尺状の押さえ板を前記第１の支持具を利用して折板屋根側に固定する工程、
を少なくとも備えることを特徴とする折板屋根のフラット化工法。
【請求項２】
平板材として発泡樹脂板を用いることを特徴とする請求項１に記載の折板屋根のフラット化工法。
【請求項３】
請求項１または２に記載の折板屋根のフラット化工法の各工程に加え、さらに、
前記第１の支持具を利用してフラット化した屋根面の上に物品を固定する工程、
を少なくとも備えることを特徴とするフラット化した折板屋根の上に物品を固定する工法。
【請求項４】
請求項１または２に記載の折板屋根のフラット化工法の各工程に加え、さらに、
長尺状の押さえ板に第２の支持具を固定する工程、
前記第２の支持具を少なくとも利用して前記フラット化した屋根面の上に物品を固定する工程、
を少なくとも備えることを特徴とするフラット化した折板屋根の上に物品を固定する工法。
【請求項５】
請求項１または２に記載の折板屋根のフラット化工法の各工程に加え、さらに、
長尺状の押さえ板に、その方向と直交する方向に補助治具を取り付ける工程、
前記補助治具に第３の支持具を固定する工程、
前記第３の支持具を少なくとも利用して前記フラット化した屋根面の上に物品を固定する工程、
を少なくとも備えることを特徴とするフラット化した折板屋根の上に物品を固定する工法。
【請求項６】
屋根勾配方向であるＸ方向に走る複数個の山形部が軒先方向であるＹ方向に所定ピッチで連続している折板屋根面における、前記山形部の前記Ｘ方向における少なくとも２箇所に、またはＹ方向における少なくとも２箇所に固定立設された第１の支持具と、
前記複数個の山形部を覆うようにして敷設された平板材と、
前記敷設した平板材の上であって前記少なくとも２箇所に第１の支持具を固定立設した方向に置かれておりかつ前記第１の支持具を利用して折板屋根側に固定された長尺状の押さえ板、
を少なくとも備えることを特徴とするフラット化した折板屋根構造。
【請求項７】
平板材が発泡樹脂板であることを特徴とする請求項６に記載のフラット化した折板屋根構造。
【請求項８】
請求項６または７に記載のフラット化した折板屋根構造の上に、前記第１の支持具を利用して物品が固定されていることを特徴とするフラット化した折板屋根構造への物品固定構造。
【請求項９】
請求項６または７に記載のフラット化した折板屋根構造における長尺状の押さえ板には第２の支持具が固定されており、前記第２の支持具を少なくとも利用して、フラット化した折板屋根構造の上に物品が固定されていることを特徴とするフラット化した折板屋根構造への物品固定構造。
【請求項１０】
請求項６または７に記載のフラット化した折板屋根構造における長尺状の押さえ板に、その方向と直交する方向に補助治具が取り付けられており、前記補助治具には第３の支持具が固定されており、前記第３の支持具を少なくとも利用して前記フラット化した屋根面の上に物品が固定されていることを特徴とするフラット化した折板屋根構造への物品固定構造。
【発明の詳細な説明】
【技術分野】
【０００１】
本発明は、山形部が所定ピッチで連続している構造を備えた折板屋根の屋根面をフラット化する工法、フラット化した折板屋根面に例えば保水排水基盤材のような物品を固定する工法、およびそれらの構造に関する。
【背景技術】
【０００２】
近年、屋内の温度上昇を抑制するため、あるいは大気環境を改善するため等の目的で、屋上を緑化することが推奨されている。当初からフラットな屋根面の場合には、比較的容易に緑化に必要な資材を屋根面に固定することができる。しかし、図１９に示すような折板屋根Ｒ、すなわち屋根勾配方向であるＸ方向に走る山形部３が軒先方向であるＹ方向に所定ピッチで連続している構造の折板屋根Ｒの場合には、屋根面がフラットでなく凹凸面をなしていることから、直接その上に緑化に必要な資材等を固定することは容易でない。そのために、図１９に示すように、例えば発泡樹脂製板である平板材４０を折板屋根Ｒに固定して屋根面をフラット化し、その上に保水排水基盤材５０等の物品を固定することが行われている（特許文献１参照）。
【０００３】
なお、図１９において、敷設した平板材４０の上に長尺状の押さえ板７がＸ方向に置かれ、折板屋根Ｒの屋根板２同士を固定している既存のボルト５を用いて屋根側に固定した補助治具８に対して、前記長尺状の押さえ板７を固定することにより、敷設した多数枚の平板材４０を屋根側に安定して固定するようになっている。また、長尺状の押さえ板７にはスタッドボルト９が固定され、そのスタッドボルト９を利用して保水排水基盤材５０が平板材４０の上に固定されている。
【０００４】
【特許文献１】特開２００６−２７４７５９号公報
【発明の開示】
【発明が解決しようとする課題】
【０００５】
本発明者らは、前記特許文献１に記載の内容に基づく折板屋根への保水排水基盤材の固定構造を実際に施工してきているが、その過程において、新規に構築された折板屋根に対して施工する場合には格別の問題は生じないが、既存の折板屋根面に対して施工する場合には、折板屋根Ｒの屋根板２同士を固定しているボルト５に錆が生じていることが多く、平板材４０および物品（保水排水基盤材）５０を補助治具８を介して安定的に固定するには、ボルト５の強度が不足することが起こり得ることを知見した。また、補助治具８を通すために、図１９に示すように平板材４０に開口４１を形成することが必要であり、現場施工としてこの開口形成作業はやや煩雑であった。
【０００６】
本発明は上記のような事情に鑑みてなされたものであり、例えば築後１０年というように長い年月が経過した折板屋根であっても、その上に安定的に平板材を固定して屋根面をフラット化することのできる折板屋根のフラット化工法、およびフラット化した折板屋根の上に物品を固定する工法を提供することを課題とする。また、そのようにしてフラット化した折板屋根構造およびフラット化した折板屋根構造への物品固定構造を提供することを課題とする。
【課題を解決するための手段】
【０００７】
本出願の第１発明である折板屋根のフラット化工法は、屋根勾配方向であるＸ方向に走る複数個の山形部が軒先方向であるＹ方向に所定ピッチで連続している折板屋根面を平板材を用いてフラット化する工法であって、前記山形部の前記Ｘ方向における少なくとも２箇所に、またはＹ方向における少なくとも２箇所に第１の支持具を固定立設する工程、前記複数個の山形部を覆うようにして平板材を敷設する工程、前記敷設した平板材の上であって前記少なくとも２箇所に第１の支持具を固定立設した方向に長尺状の押さえ板を置く工程、前記長尺状の押さえ板を前記第１の支持具を利用して折板屋根側に固定する工程、を少なくとも備えることを特徴とする（請求項１）。
【０００８】
また、本出願の第２発明であるフラット化した折板屋根構造は、屋根勾配方向であるＸ方向に走る複数個の山形部が軒先方向であるＹ方向に所定ピッチで連続している折板屋根面における、前記山形部の前記Ｘ方向における少なくとも２箇所に、またはＹ方向における少なくとも２箇所に固定立設された第１の支持具と、前記複数個の山形部を覆うようにして敷設された平板材と、前記敷設した平板材の上であって前記少なくとも２箇所に第１の支持具を固定立設した方向に置かれておりかつ前記第１の支持具を利用して折板屋根側に固定された長尺状の押さえ板、を少なくとも備えることを特徴とする（請求項６）。
【０００９】
上記の第１および第２発明において、平板材の固定に利用される長尺状の押さえ板の折板屋根への固定は、当該折板屋根の屋根板同士を固定している既存のボルトではなく、折板屋根の山形部に新たに固定した第１の支持具を利用して行われるので、長尺状の押さえ板の固定は堅固なものとなる。結果として平板材の折板屋根面への固定が安定する。前記第１の支持具には、従来知られたスタッドボルトが好適に用いられるが、長尺状の押さえ板を安定的に固定できるものであれば、スタッドボルトに限らない。また、第１の支持具の折板屋根の山形部への固定には、両者の材料等を考慮して適宜の固定手段を用いうるが、両者が金属材料の場合に溶着によることが好ましく、他に接着剤による固定でもよい。または、ビス等を用いて両者を固定する方法も挙げられ、その場合にはゴムパッキン等を用いて止水処理を行うことが望ましい。
【００１０】
上記の第１および第２発明において、平板材に使用する材料は任意であり特に制限はない。屋根面からの輻射熱を防止すること等を目的とする場合には、平板材として、好ましくは発泡樹脂板が用いられる（請求項２，請求項７）。他に、非発泡樹脂製、発泡モルタル製や木材製のような材料を用いることもできる。後記するように、フラット化した屋根面の上に何らかの物品を固定する場合には、平板材は、当該物品からの上載荷重に耐えるだけの強度を備える必要がある。
【００１１】
上記の第１および第２発明において、長尺状の押さえ板は、折板屋根の上に載置した前記平板材が負圧等により飛散するのを阻止するためのものであり、必要な強度を備えることを条件に、任意の材料で作ることができる。コストの面や取り扱い易さから、金属材料や樹脂材料が好ましい。
【００１２】
本出願の第３発明であるフラット化した折板屋根の上に物品を固定する工法は、上記した第１発明である折板屋根のフラット化工法の各工程に加え、さらに、前記第１の支持具を利用してフラット化した屋根面の上に物品を固定する工程を少なくとも備えることを特徴とする（請求項３）。また、本出願の第４発明であるフラット化した折板屋根構造への物品固定構造は、上記した第２発明であるフラット化した折板屋根構造の上に、さらに、前記第１の支持具を利用して物品が固定されていることを特徴とする（請求項８）。
【００１３】
上記の第３および第４発明において、折板屋根面は平板材を敷設することにより平坦面となっており、その上に前記第１の支持具を支持具として利用して物品を固定することはきわめて容易である。固定する物品は当該フラット化した折板屋根の上に配置することが求められる任意の物品であってよく、一例として、屋根面緑化を望む場合には、前記特許文献１に記載するような保水排水基盤材が挙げられる。他に、ソーラパネルのようなものであってもよい。
【００１４】
固定しようとする物品が、屋根勾配方向であるＸ方向に距離ａの間隔で取り付け孔を有し、軒先方向であるＹ方向には山形部のピッチＰａの整数倍の距離ｎ・Ｐａの間隔で取り付け孔を有している場合には、折板屋根のｎ個毎の山形部に対して前記距離ａ毎に前記第１の支持具を固定する。また、第１の支持具が通過する貫通孔を前記距離ａ毎に形成した前記長尺状の押さえ板を用意する。折板屋根の上に前記平板材を敷設した後、前記押さえ板を、前記第１の支持具を固定した山形部に対応する位置において、該貫通孔に第１の支持具を通過させた状態で置く。そして、その上から、前記物品をその取り付け孔内に前記第１の支持具を通過させて平板材の上に置き、その状態で、前記物品を前記第１の支持具に対して固定する。それにより、平板材、長尺状の押さえ板、物品は、フラット化した折板屋根に対して一体に固定することができる。長尺状の押さえ板を平板部材の上に予め固定しておき、その後に物品の配置と固定を行うこともできる。
【００１５】
本発明は、また、上記第３発明であるフラット化した折板屋根の上に物品を固定する工法の他の態様として、さらに、前記Ｘ方向またはＹ方向に配置した長尺状の押さえ板に第２の支持具を固定する工程と、前記第２の支持具を少なくとも利用して前記フラット化した屋根面の上に物品を固定する工程とを少なくとも備えることを特徴とするフラット化した折板屋根の上に物品を固定する工法を開示する（請求項４）。また、上記第４発明であるフラット化した折板屋根構造への物品固定構造の他の態様として、さらに、前記Ｘ方向またはＹ方向に配置した長尺状の押さえ板には第２の支持具が固定されており、前記第２の支持具を少なくとも利用して、フラット化した折板屋根構造の上に物品が固定されていることを特徴とするフラット化した折板屋根構造への物品固定構造を開示する（請求項９）。
【００１６】
上記第３と第４発明における上記の態様では、物品固定用の第２の支持具を別途利用するようにしており、山形部に固定する第１の支持具の本数は、長尺状の押さえ板を固定するのに必要な本数、例えばＸ方向の最下位と最上位の２本のみでよくなり、作業を簡素化できる。長尺状の押さえ板に第２の支持具を固定する態様は任意であるが、ボルトナットによる固定態様は作業の容易性から好適である。また、長尺状の押さえ板に第２の支持具を固定するときの第２の支持具間の距離（ピッチ）は前記距離ａとされるが、長尺状の押さえ板に長孔である貫通孔を複数個形成しておくことにより、第２の支持具の固定作業が容易化するとともに、前記距離ａが異なる物品に対しても、同じ長尺状の押さえ板を利用できる利点がある。この態様において、第２の支持具に加えて、折板屋根の前記山形部に固定した第１の支持具をも前記物品の固定に利用することもできる。
【００１７】
本発明は、また、上記第３発明であるフラット化した折板屋根の上に物品を固定する工法のさらに他の態様として、上記した第１発明である折板屋根のフラット化工法の各工程に加え、さらに、前記Ｘ方向またはＹ方向に配置した長尺状の押さえ板に対して、それに直交する方向に任意の長さの補助治具を取り付ける工程、前記補助治具に第３の支持具を固定する工程、前記第３の支持具を少なくとも利用して前記フラット化した屋根面の上に物品を固定する工程を少なくとも備えることを特徴とするフラット化した折板屋根の上に物品を固定する工法を開示する（請求項５）。また、上記第４発明であるフラット化した折板屋根構造への物品固定構造のさらに他の態様として、上記した第２発明であるフラット化した折板屋根構造の上に、さらに、前記Ｘ方向またはＹ方向に配置した長尺状の押さえ板に対して、それに直交する方向に取り付けられて任意の長さの補助治具が取り付けられており、前記補助治具には第３の支持具が固定されており、前記第３の支持具とを少なくとも利用して前記フラット化した屋根面の上に物品が固定されていることを特徴とするフラット化した折板屋根構造への物品固定構造を開示する（請求項１０）。
【００１８】
上記第３と第４発明における上記の態様は、固定しようとする物品が、その軒先方向であるＹ方向に、山形部のピッチＰａの整数倍でない距離、すなわちｎ・Ｐｙ±αの距離に取り付け孔を有している場合に、好適に用いられる。すなわち、第３の支持具を固定した前記補助治具を用いることにより、隣接する山形部間の任意の位置に第３の支持具を立てることが可能となり、それら第３の支持具を少なくとも利用することにより、任意の距離（ピッチ）で取り付け孔を持つ物品の固定ができるようになる。なお、前記Ｘ方向のピッチ合わせは、長孔である貫通孔を複数個形成した長尺状の押さえ板を用いることにより、容易に行うことができる。この態様においても、必要な場合には、第３の支持具に加えて、折板屋根の前記山形部に固定した第１の支持具、あるいは長尺状の押さえ板に固定した前記第２の支持具をも、前記物品の固定に選択的に利用することもできる。
【発明の効果】
【００１９】
本発明によれば、築後に長い年月が経過した折板屋根であっても、その上に安定的に平板材を固定して屋根面をフラット化することができる。また、フラット化した折板屋根の上に、適宜の物品を安定して固定することができる。
【発明を実施するための最良の形態】
【００２０】
以下、図面を参照しながら、本発明を実施の形態に基づき説明する。最初に、第１発明である折板屋根のフラット化工法および第２発明であるフラット化した折板屋根構造について説明する。図１は折板屋根の一例を示す。図２は折板屋根の山形部の頂部に第１の支持具としてのスタッドボルトを固定した状態を、図３は折板屋根の上に例えば発泡樹脂板である平板材を載置した状態を、図４および図６は平板材を長尺状の押さえ板を用いて固定した状態を示しており、図５および図７は平板材を固定してフラット化した折板屋根の一例を示している。
【００２１】
図１に示すように、折板屋根Ｒは、建物の梁１の上に取り付けた取り付け具４に固定ボルト５を立設し、この固定ボルト５に屋根板２に貫通させて固定用ナット６で締め付けることで、屋根板２の屋根躯体に固定している。この形態の折板屋根Ｒは、屋根勾配方向であるＸ方向に走る多数の山形部３・・を有し、各山形部３は、軒先方向であるＹ方向にピッチＰａの間隔をおいて、連続して形成されている。また、各山形部３の頂部３ａ（図２）は平坦面となっている。
【００２２】
最初に、そのような既存の折板屋根Ｒにおける山形部３から、適当ピッチでの適数の山形部３・・を選択して、その頂部３ａに第１の支持具を固定する。この例で、第１の支持具の一例としてスタッドボルト１０を用いており、該スタッドボルト１０の底部１１を頂部３ａに溶着により固定している。接着剤やビス等で固定することもできる。スタッドボルト１０は、好ましくは山形部３のＸ方向の両端部近傍に少なくとも固定されるが、図７に例示するように、その中間の位置に適数のスタッドボルト１０を固定してもよい。
【００２３】
なお、第１の支持具の一例としてスタッドボルト１０を前記Ｘ方向にではなく、そこに直交する方向であるＹ方向に向けて固定することもできる。その場合には、図５に例示するよう、適当ピッチで適数の山形部３・・を選択し、そこに第１の支持具としてのスタッドボルト１０・・を固定する。この場合も、好ましくはスタッドボルト１０は当該折板屋根Ｒの軒先方向（Ｙ方向）の両端部に位置する山形部３、３に少なくとも固定されるが、軒先方向（Ｙ方向）の中間に位置する山形部３・・のいくつかにスタッドボルト１０を固定するようにしてもよい。
【００２４】
いずれの場合も、スタッドボルト１０を固定する山形部３・・のＹ方向のピッチ、およびスタッドボルト１０を山形部３のＸ方向に固定するピッチは、後記する平板材４０を安定的に折板屋根面に固定できるように、施工現場に応じて適宜選択する。なお、本発明による前記第３および第４発明のように、フラット化した折板屋根面に適宜の物品５０を固定する場合には、当該物品５０に設けられている取り付け孔のピッチ等も考慮して、各ピッチが設定される。
【００２５】
適数のスタッドボルト１０を固定した後、図３に示すように、例えば発泡樹脂板である平板材４０を載置する。平板材４０の載置面積は、施工現場の要請に応じて、折板屋根Ｒの全面である場合もあり、その一部の場合もある。平板材４０の載置は単に折板屋根Ｒの山形部３・・の上に単に置いていくだけでよい。好ましくは、図示のように、平板材４０の長手方向が前記Ｙ方向となるようにして載置する。
【００２６】
次に、載置した平板材４０の複数枚にわたるようにして長尺状の押さえ板２０を、平板材４０の上に置く。図４と図５に示す例では、長尺状の押さえ板２０は前記Ｙ方向に向けて置かれており、図６と図７に示す例では、長尺状の押さえ板２０は前記Ｘ方向に向けて置かれている。いずれにおいても、押さえ板２０には長軸方向に長孔である貫通孔２１が長手方向に適数だけ形成されており、該貫通孔２１のいずれかに前記固定したスタッドボルト１０を貫通させた状態とした後、ナット１２により締め付ける。それにより、平板材４０の折板屋根Ｒへの固定作業は終了し、本出願での第２発明であるフラット化した折板屋根構造Ｒ１が得られる。
【００２７】
なお、図７に示した例では、折板屋根Ｒの複数の山形部３・・における３本目毎の山形部３毎に，すなわちＹ方向では３×ＰａのピッチＰｂ毎の山形部３にスタッドボルト１０を固定しており、各山形部３でのＸ方向におけるスタッドボルト１０のピッチＸａは載置する平板材４０の横幅とほぼ同じとなっている。しかし、ピッチＰｂはこれに限ることなく任意であり、また、各山形部３でのＸ方向におけるスタッドボルト１０は、当該山形部３の両端部のみであっても差し支えない。
【００２８】
図示しないが、図５および図７に示した例において、そのスタッドボルト１０（第１の支持具）を利用して適宜の物品（例えば、屋上緑化に必要な適宜の資材あるいは太陽パネル等）をナット締めする等により固定することにより、本出願での第３発明であるフラット化した折板屋根の上に物品を固定する工法、および第４発明であるフラット化した折板屋根構造への物品固定構造の一形態が完成する。図７に示す例において、固定する物品が、Ｙ方向に前記Ｐｂ（＝３×Ｐａ）のピッチの貫通孔、Ｘ方向に前記Ｘａのピッチの貫通孔を備えているものであるときには、その貫通孔に前記スタッドボルト１０を貫通させてナットで締め付けることにより、確実に物品５０を固定することができる。
【００２９】
図８は、本出願の前記第３および第４発明の他の形態を説明する図であり、ここでは、前記Ｘ方向に配置した長尺状の押さえ板２０に形成した貫通孔２１を利用して第２の支持具である第２のスタッドボルト１６を固定するようにしている。この態様は、固定する物品５０に形成される前記Ｘ方向の貫通孔（取り付け孔）のピッチＸｃ（図示していない）が、前記したＸａと異なる場合に有効となる。すなわち、前記ピッチＸｃにピッチが一致するように貫通孔２１内で位置調節しながら、適数の第２の支持具である第２のスタッドボルト１６を、長尺状の押さえ板２０に固定する。図示しないが、そのようにして固定した第２のスタッドボルト１６，および必要な場合には既に固定してあるスタッドボルト１０のすべてあるいはいずれかも利用して、物品を固定することにより、本出願での第４発明によるフラット化した折板屋根構造への物品固定構造の他の形態が完成する。
【００３０】
なお、特に図示しないが、上記した第２のスタッドボルト１６を用いる態様は、図５に示した、長尺状の押さえ板２０をＹ方向に配置した態様においても、方向が９０度異なるのみで、同じように適用することができる。
【００３１】
図９〜図１８は、本出願の前記第３および第４発明のさらに他の形態を説明している。図９〜図１３は、図４に示したように前記Ｙ方向に長尺状の押さえ板２０を配置した場合での形態（以下、形態Ａという）を示し、図１４〜図１８は、図６に示したように前記Ｘ方向に長尺状の押さえ板２０を配置した場合での形態（以下、形態Ｂという）を示している。いずれの形態Ａ，Ｂでも、補助治具３０をさらに用いる点で、既に記載した態様と構成を異にしている。
【００３２】
最初に、形態Ａを説明する。図９に示すように、Ｙ方向に取り付けた長尺状の押さえ板２０に、そこに形成した長孔である貫通孔２１を利用して、そこに直交する方向（すなわちＸ方向）に、補助治具３０の適数をボルトナット等の固定具１５で固定する。補助治具３０は長軸方向に長孔である貫通孔３１を有しており、該貫通孔３１を利用して第３の支持具である第３のスタッドボルト３２を立設する。
【００３３】
第３のスタッドボルト３２を立設した後の状態が図１０に示される。長尺状の押さえ板２０に形成した長孔である貫通孔２１に沿って補助治具３０を前記Ｙ方向にスライドすることにより、各補助治具３０のＹ方向の位置を適宜設定することができる。また、補助治具３０に形成した長孔である貫通孔３１に沿って前記第３のスタッドボルト３２を前記Ｘ方向にスライドすることにより、各第３のスタッドボルト３２のＸ方向の位置を適宜設定することができる。従って、固定しようとする物品に形成されるＹ方向およびＸ方向の取り付け孔のピッチに合わせて、前記第３のスタッドボルト３２に位置決めを行うことができる。
【００３４】
図１１は、そのようにして位置決めをした第３のスタッドボルト３２を利用して物品５０を固定した状態を示している。折板屋根Ｒの上に平板材４０・・が載置されることによって折板屋根Ｒはフラット化した折板屋根構造Ｒ１となっており、載置された平板材４０は、その上に置かれた長尺状の押さえ板２０が山形部３に固定した第１の支持具（スタッドボルト１０）を利用して屋根側に固定されていることから、安定した状態となっている。さらに、長尺状の押さえ板２０に形成した貫通孔２１を利用してＹ方向に適宜のピッチで適数の補助治具３０が固定され、該補助治具３０に形成した貫通孔３１を利用してＸ方向に適宜のピッチで適数の第３の支持具（第３のスタッドボルト３２）が固定されている。そして、第３の支持具（第３のスタッドボルト３２）を利用して、平板材４０の上に、適宜の物品５０が固定されることにより、第４発明であるフラット化した折板屋根構造への物品固定構造のさらに他の形態が完成する。
【００３５】
図１２に軒先方向の断面図を、図１３に平面図を示すように、上記のようにして、長尺状の押さえ板２０、補助治具３０および第３の支持具である第３のスタッドボルト３２を利用することにより、固定しようとする物品５０に形成されているＸ方向およびＹ方向の取り付け孔のピッチがどのような場合であっても、補助治具３０および第３のスタッドボルト３２の取り付け位置をＸ方向およびＹ方向で個々に調整することにより、安定した姿勢で物品５０を平板材４０の上に固定することが可能となる。
【００３６】
なお、この形態のフラット化した折板屋根構造への物品固定構造においても、固定しようとする物品５０に形成されているＸ方向およびＹ方向の取り付け孔のピッチに応じて、必要な場合には、長尺状の押さえ板２０に形成した長孔である貫通孔２１に前記した第２のスタッドボルト１６をさらに固定し、それを物品５０の固定用に用いるようにしてもよい。さらに、既に固定してあるスタッドボルト１０のすべてあるいはいずれかをも、物品５０の固定用に用いるようにしてもよい。
【００３７】
次に、形態Ｂを説明する。形態Ｂは、前記したように、長尺状の押さえ板２０をＸ方向に配置した点で形態Ａと異なっており、また、用いる補助治具３０の長さが、折板屋根Ｒの山形部３のＹ方向のピッチＰａよりも短い長さの補助治具３０を用いる点で形態Ａと異なっている。その他の点は、形態Ａと部材の方向が９０度異なっているだけで、それぞれの部材の持ち機能は同じであり、図１４〜図１８では、同じ部材には同じ符号を付している。
【００３８】
形態Ｂでも、図１４に示すように、Ｘ方向に配置した長尺状の押さえ板２０に、貫通孔２１を利用して、前記折板屋根Ｒの山形部３のＹ方向のピッチＰａよりも短い長さの補助治具３０の適数をボルトナット等の固定具１５で固定する。また、補助治具３０に形成した貫通孔３１を利用して第３の支持具である第３のスタッドボルト３２を立設する。第３のスタッドボルト３２を立設した後の状態が図１５に示される。
【００３９】
ここでも、長尺状の押さえ板２０に形成した長孔である貫通孔２１に沿って補助治具３０を前記Ｘ方向にスライドすることにより、各補助治具３０のＸ方向の位置を適宜設定することができ、また、補助治具３０に形成した長孔である貫通孔３１に沿って前記第３のスタッドボルト３２を前記Ｙ方向にスライドすることにより、各第３のスタッドボルト３２のＹ方向の位置を適宜設定することができる。
【００４０】
図１６は、そのようにして位置決めをした第３のスタッドボルト３２を利用して物品５０を固定した状態を示しており、本願第４発明であるフラット化した折板屋根構造への物品固定構造のさらに他の形態が完成する。図１７および図１８は、前記形態Ａでの図１２および図１３にそれぞれ相当しており、前記したように方向が９０度異なっているだけで構造的には実質的に同様であるので、説明は省略する。
【図面の簡単な説明】
【００４１】
【図１】折板屋根の一例を示す図。
【図２】折板屋根の山形部の頂部に第１の支持具としてのスタッドボルトを固定した状態を示す図。
【図３】折板屋根の上に例えば発泡樹脂板である平板材を載置した状態を示す図。
【図４】平板材をＹ方向に配置した長尺状の押さえ板を用いて固定した状態を示す図。
【図５】Ｙ方向に配置した長尺状の押さえ板を用いて平板材を固定してフラット化した折板屋根の一例を示す全体図。
【図６】平板材をＸ方向に配置した長尺状の押さえ板を用いて固定した状態を示す図。
【図７】Ｘ方向に配置した長尺状の押さえ板を用いて平板材を固定してフラット化した折板屋根の一例を示す全体図。
【図８】フラット化した折板屋根に第２の支持具としての第２のスタッドボルトを取り付けた状態を示す全体図。
【図９】Ｙ方向に配置した長尺状の押さえ板によりフラット化した折板屋根に補助治具と第３の支持具としての第３のスタッドボルトを取り付けた状態を示す部分図。
【図１０】Ｙ方向に配置した長尺状の押さえ板によりフラット化した折板屋根に補助治具と第３の支持具としての第３のスタッドボルトを取り付けた状態を示す全体図。
【図１１】図１０に示したフラット化した折板屋根の上に第３の支持具である第３のスタッドボルトを用いて物品を固定した状態を示す部分図。
【図１２】図１１に示した構造を軒先側からして示す図。
【図１３】図１１に示した構造を上から見て示す図。
【図１４】Ｘ方向に配置した長尺状の押さえ板によりフラット化した折板屋根に補助治具と第３の支持具としての第３のスタッドボルトを取り付けた状態を示す部分図。
【図１５】Ｘ方向に配置した長尺状の押さえ板によりフラット化した折板屋根に補助治具と第３の支持具としての第３のスタッドボルトを取り付けた状態を示す全体図。
【図１６】図１５に示したフラット化した折板屋根の上に第３の支持具である第３のスタッドボルトを用いて物品を固定した状態を示す部分図。
【図１７】図１６に示した構造を軒先側からして示す図。
【図１８】図１６に示した構造を上から見て示す図。
【図１９】平板材を折板屋根に固定して屋根面をフラット化し、その上に物品を固定するようにした従来の例を説明するための図。
【符号の説明】
【００４２】
Ｒ…折板屋根、２…屋根板、３…山形部、３ａ…山形部の頂部、５…固定ボルト、１０…第１の支持具の一例としてスタッドボルト、１１…スタッドボルトの底部、１６…第２の支持具である第２のスタッドボルト、２０…長尺状の押さえ板、２１…長孔である貫通孔、３０…補助治具、３１…長孔である貫通孔、３２…第３の支持具である第３のスタッドボルト、４０…例えば発泡樹脂板である平板材、５０…物品、Ｒ１…フラット化した折板屋根構造
【図１】
2008231884.tif 000003
【図２】
2008231884.tif 000004
【図３】
2008231884.tif 000005
【図４】
2008231884.tif 000006
【図５】
2008231884.tif 000007
【図６】
2008231884.tif 000008
【図７】
2008231884.tif 000009
【図８】
2008231884.tif 000010
【図９】
2008231884.tif 000011
【図１０】
2008231884.tif 000012
【図１１】
2008231884.tif 000013
【図１２】
2008231884.tif 000014
【図１３】
2008231884.tif 000015
【図１４】
2008231884.tif 000016
【図１５】
2008231884.tif 000017
【図１６】
2008231884.tif 000018
【図１７】
2008231884.tif 000019
【図１８】
2008231884.tif 000020
【図１９】
2008231884.tif 000021